(57)【要約】【課題】従来の印刷位置合わせ技術では固定文字列の設定や、それぞれの出力項目の全てを設定することは、デザイン全てを設定することになり、イベント現場等のオペレータレベルでは極めて困難である。【解決手段】上記課題を解決するために、出力媒体への印刷位置を設定するための機能ボタンを表示画面上に組み込んだ電子フォームであって、前記機能ボタンは、少なくとも、印刷位置設定機能ボタン，印刷位置情報保存機能ボタン，保存情報読出し機能ボタン，印刷実行機能ボタンからなり、表示画面の所定の位置に表示された印刷位置調整機能付き電子フォームを提供する。【選択図】  図１
2005309632.tif 000002
【特許請求の範囲】
【請求項１】
出力媒体への印刷位置を設定するための機能ボタンを表示画面上に組み込んだ電子フォームであって、
前記機能ボタンは、少なくとも、印刷位置設定機能ボタン，印刷位置情報保存機能ボタン，保存情報読出し機能ボタン，印刷実行機能ボタンからなり、表示画面の所定の位置に表示されたことを特徴とする印刷位置調整機能付き電子フォーム。
【請求項２】
請求項１に記載の印刷位置調整機能付き電子フォームにおいて、印刷位置設定機能ボタンには、入力するデータの印字位置を設定する印刷位置設定機能を有するプログラムが組み込まれたことを特徴とする印刷位置調整機能付き電子フォーム。
【請求項３】
請求項１に記載の印刷位置調整機能付き電子フォームにおいて、印刷位置設定機能ボタンには、入力されたデータと背景デザインを一体化して移動する印刷位置設定機能を有するプログラムが組み込まれたことを特徴とする印刷位置調整機能付き電子フォーム。
【請求項４】
請求項１に記載の印刷位置調整機能付き電子フォームにおいて、印刷位置設定機能ボタンには、入力された数字によって設定可能な印刷位置設定機能を有するプログラムが組み込まれたことを特徴とする印刷位置調整機能付き電子フォーム。
【請求項５】
請求項１に記載の印刷位置調整機能付き電子フォームにおいて、印刷位置情報保存機能ボタンには、設定された情報をパラメータとして保存する印刷位置情報保存機能を有するプログラムが組み込まれたことを特徴とする印刷位置調整機能付き電子フォーム。
【請求項６】
請求項１に記載の印刷位置調整機能付き電子フォームにおいて、保存情報読出し機能ボタンには、印刷機毎に設定を変更するために保存されたパラメータ情報を読出す保存情報読出し機能を有するプログラムが組み込まれたことを特徴とする印刷位置調整機能付き電子フォーム。
【請求項７】
請求項１に記載の印刷位置調整機能付き電子フォームにおいて、印刷位置設定機能ボタンは、十字キーであることを特徴とする印刷位置調整機能付き電子フォーム。
【請求項８】
請求項１に記載の印刷位置調整機能付き電子フォームにおいて、機能ボタンは、電子フォーム上の入力枠が表示されない位置に表示されたことを特徴とする印刷位置調整機能付き電子フォーム。
【発明の詳細な説明】
【技術分野】
【０００１】
本発明は、プリンタの機種毎に異なる印刷位置を容易に設定可能な機能ボタンを組み込んだ印刷位置調整機能付き電子フォームに関する。
【背景技術】
【０００２】
近年、カラープリンタの品質向上に伴い、ロットの少ない印刷物に関しては、固定デザインだけ印刷した印刷台紙を予め作製しておいて、最終的な印刷情報は、その時の状況に照らし合わせて必要枚数だけ、必要な場所で印刷するケースが多くなっている。
例えば、イベント会場における主催者入場証のように、イベントの名称，イベントマークは特色が含まれるために、事前に印刷（プレプリント）しておいて、本人の名前，顔画像，必要事項の印刷を会場などに設置されたプリンタで印刷する。
イベントの名称，イベントマークなどは目立ち易いように金や銀の箔を使用してデザインする場合があり、プリンタでは表現できないため、また、プリンタの機種によって発色が異なるために事前に印刷をする。
【０００３】
プレプリントを施したプレプリント紙に追加情報をオンデマンドで印刷する際に、追加情報を入力する入力画面は、本部、または、電子フォーム提供者のサーバから出力場所に送信される。出力場所では異なるプリンタで出力する場合が多く、サーバから配信された入力画面に入力した後プレプリント紙の所定の位置に印刷するまでに多大な時間と、プレプリント紙を消費する。
そこで、その都度プログラムを作成せず、所定の文字列を所定の位置に印刷する方法、及び、装置が開示されている（例えば特許文献１参照）。
この技術は、トランザクションデータ，その他の文字，マークなどの文字絵柄，印刷位置を画面対話式に指定し、その指定は、固定文字列を固定位置に出力する処理を含み、その指定で得られた情報に基づくプログラムの作成方法及び装置を提供するものである。
【０００４】
【特許文献１】特開平７−１２９３８５号公報
【発明の開示】
【発明が解決しようとする課題】
【０００５】
前述の開示技術では固定文字列の設定や、それぞれの出力項目の全てを設定することは、デザイン全てを設定することになり、前述のようなイベント現場のオペレータレベルでは極めて困難である。
【課題を解決するための手段】
【０００６】
前記課題を解決するために、本発明の印刷位置調整機能付き電子フォームの請求項１に記載の発明は、出力媒体への印刷位置を設定するための機能ボタンを表示画面上に組み込んだ電子フォームであって、前記機能ボタンは、少なくとも、印刷位置設定機能ボタン，印刷位置情報保存機能ボタン，保存情報読出し機能ボタン，印刷実行機能ボタンからなり、表示画面の所定の位置に表示されたことを特徴とするものである。
【０００７】
また、請求項２に記載の発明は、請求項１に記載の発明において、印刷位置設定機能ボタンには、入力するデータの印字位置を設定する、印刷位置設定機能を有するプログラムが組み込まれたことを特徴とするものである。
【０００８】
また、請求項３に記載の発明は、請求項１に記載の発明において、印刷位置設定機能ボタンには、入力されたデータと背景デザインを一体化して移動する、印刷位置設定機能を有するプログラムが組み込まれたことを特徴とするものである。
【０００９】
また、請求項４に記載の発明は、請求項１に記載の発明において、印刷位置設定機能ボタンには、入力された数字によって設定可能な印刷位置設定機能を有するプログラムが組み込まれたことを特徴とするものである。
【００１０】
また、請求項５に記載の発明は、請求項１に記載の発明において、印刷位置情報保存機能ボタンには、設定された情報をパラメータとして保存する、印刷位置情報保存機能を有するプログラムが組み込まれたことを特徴とするものである。
【００１１】
また、請求項６に記載の発明は、請求項１に記載の発明において、保存情報読出し機能ボタンには、印刷機毎に設定を変更するために保存されたパラメータ情報を読出す保存情報読出し機能を有するプログラムが組み込まれたことを特徴とするものである。
【００１２】
また、請求項７に記載の発明は、請求項１に記載の発明において、印刷位置設定機能ボタンは、十字キーであることを特徴とするものである。
【００１３】
また、請求項８に記載の発明は、請求項１に記載の発明において、機能ボタンは、電子フォーム上の入力枠が表示されない位置に表示されたことを特徴とするものである。
【発明の効果】
【００１４】
１）請求項１に記載のように、出力媒体への印刷位置を設定するための機能ボタンを表示画面上に組み込んだ電子フォームであって、前記機能ボタンは、少なくとも、印刷位置設定機能ボタン，印刷位置情報保存機能ボタン，保存情報読出し機能ボタン，印刷実行機能ボタンからなり、表示画面の所定の位置に表示されたことによって、オペレータレベルの知識でもプレプリント紙との位置合わせが容易に可能となる。
２）請求項２に記載のように、請求項１に記載の発明において、印刷位置設定機能ボタンには、入力するデータの印字位置を設定する印刷位置設定機能を有するプログラムが組み込まれたことによって、プリンタなどの機種ごとに発生する印字誤差を調整することができる。
３）請求項３に記載のように、請求項１に記載の発明において、印刷位置設定機能ボタンには、入力されたデータと背景デザインを一体化して移動する印刷位置設定機能を有するプログラムが組み込まれたことによって、それぞれの出力項目を設定し直すことなく、全体の印刷位置を調整することができる。
４）請求項４に記載のように、請求項１に記載の発明において、印刷位置設定機能ボタンには、入力された数字によって設定可能な印刷位置設定機能を有するプログラムが組み込まれたことによって、テスト的に印刷（出力）したプレプリント紙の印刷位置を測定し、正確な印刷位置を数字で把握し、数字で指定することによって２枚目の印刷物から正しい印刷物を得ることができる。
５）請求項５に記載のように、請求項１に記載の発明において、印刷位置情報保存機能ボタンには、設定された情報をパラメータとして保存する印刷位置情報保存機能を有するプログラムが組み込まれたことによって、プリンタの機種がわかれば一度の設定でプレプリント紙と位置合わせを行うことができる。
６）請求項６に記載のように、請求項１に記載の発明において、保存情報読出し機能ボタンには、印刷機毎に設定を変更するために保存されたパラメータ情報を読出す保存情報読出し機能を有するプログラムが組み込まれたことによって、複数のプリンタの位置情報を知ることができ、そのデータを元に入力値を参照し、正しい数値に修正することができる。
７）請求項７に記載のように、請求項１に記載の発明において、印刷位置設定機能ボタンは、十字キーであることによって、シンプルな電子フォーム表示画面とすることができる。
８）請求項８に記載のように、請求項１に記載の発明において、機能ボタンは、電子フォーム上の入力枠が表示されない位置に表示されたことによって、位置合わせ作業の効率を高めることができる。
【発明を実施するための最良の形態】
【００１５】
以下、図面を参照して本発明の印刷位置調整機能付き電子フォームについて説明する。
図１は、本発明の印刷位置調整機能付き電子フォームの入力画面の模式図，図２は、印刷位置設定機能ボタンを使って画面を見ながら印刷位置を合わせる位置合わせの方法について説明するための図，図３は、印刷位置設定機能ボタンを使って、入力数値によって印刷位置を合わせる位置合わせの方法について説明するための図，図４は、入力されたパラメータの形式の一例について説明するための図，図５は、本発明の印刷位置調整機能付き電子フォームの運用システムについて説明するための図，である。
【００１６】
図５を参照して、本発明の印刷位置調整機能付き電子フォームの運用システムについて説明する。
以下の説明では、イベント会場などで、主催者側係員に使用される入場証の例で説明する。
主催者側の係員に使用される入場証は、イベントの名称，イベントマークなどが目立ち易い金や銀の箔を使用してデザインされている。
前記、金や銀の箔を使用してデザインされている主催者入場証は、プリンタでは印刷できないために、固定デザインである前記金や銀の箔のデザイン部分はプレプリントされ、本人の名前，顔画像，その他必要事項は、会場に設置された前記プリンタ（印刷装置）７で印刷される。
プリンタ７は、入力手段を備えた通信端末９に接続され、通信端末９は、インターネットを介して電子フォームを配信するサーバ８に接続されている。
【００１７】
まず、通信端末９は、電子フォーム配信サーバ８から本発明の印刷位置調整機能プログラムを組み込んだ電子フォームをダウンロードする。
通信端末の入力手段は、ダウンロードした入力画面に本発明の印刷位置調整機能付き電子フォームを表示する。
事前に送付されたプレプリント紙をプリンタにセットして、印刷実行機能ボタンを操作してテストプリントを行う。印刷実行機能ボタンを押すと、例えば、「テストプリント」と、「本番プリント」の使い分けが表示され、「テストプリント」を選択する。
テストプリントされたテストパターンと、プレプリント紙との印刷のずれを物差しで測定し、左右，天地のズレを画面の印刷位置設定機能ボタンによって数字入力する。
または、印刷位置設定機能ボタンによって目測で電子フォーム全体を移動させる。
電子フォームの印字欄には、プレ印刷領域も一緒に表示（実施の印刷では印刷されない。）されるようになっていて、それぞれの印字欄の印字位置も見本によって判り易く表示されている。
見本を参照して必要事項を入力する。
印刷実行機能ボタンによって印刷し最終確認する。これらの操作によって、使用するプリンタにおける印刷位置が電子フォームに登録された。
印刷が終了するとその都度、または、複数の入力が終わった時点で、入力内容がサーバに送信される。
【００１８】
図１を参照して、本発明の印刷位置調整機能付き電子フォームの入力画面について説明する。
通信端末９を操作して表示画面１に電子フォーム６をダウンロードし、表示する。
表示された電子フォームは、最終的な印刷物のイメージで表示されており、印刷された印刷紙の仕上がり線も表示される。
入力用電子フォームには、プレプリント紙のプレ印刷領域６２，６３に印刷済みのパターンも表示されている。
印字位置を調整する位置設定機能ボタン２，位置情報保存機能ボタン３，保存情報読み出しボタン４，印刷指定機能ボタン５が前記プレ印刷領域６２の表示面上に表示される。
これらの各機能ボタンは、印字の際に邪魔にならない、印字領域６１以外の領域に表示される。
【００１９】
印字領域６１には、背景に地紋，イベントのキャラクタ等が、印字される領域を避けて、または、印字を妨げないような薄い色で表示されている。印字領域の左側上部には、顔画像印字欄、または、顔写真貼付欄が設けてある。通信端末に顔画像が取り込まれて印刷される場合は、直接印刷され、通信端末または、プリンタの機能上無理があるようであれば、印画紙による顔写真を貼り付けるようにデザインされている。
印字領域には、例えば、氏名，団体名，所属名，住所，電話番号などのイベント主催者側係員の属性が印字される。
写真貼付欄に表示される顔画像には、表示しないが、顔画像印刷，顔写真印画紙貼付の後、割り印で刻印される。
【００２０】
前記各機能ボタン，印字領域の入力枠には、プログラムが組み込まれており、また、マウスなどで指定してクリックすると数字入力のための小画面が表示される。
また、入力されたデータは、コード付けされて所定のファイルに格納されたり、保管するために電子フォームを配信するサーバに送信されて、マスターファイルに保管される。
【００２１】
図２を参照して、印刷位置設定機能ボタンを使って画面を見ながら印刷位置を合わせる位置合わせの方法について説明する。
印刷位置設定機能ボタン２は、十字ボタン形状をしており、１個のボタンで、天地左右に電子フォームを移動させ、位置を調整することができる。印刷位置設定機能ボタン２にはそれぞれ矢印２１が嵌め込まれていて、ポインタ１１を固定してドラッグすることによって、また、ポインタで矢印を指定し、右クリックをすることによって数字入力枠１１１を表示し、数字を入力することによって電子フォーム全体の位置を入力した距離だけ移動することができる。
【００２２】
図３を参照して、印刷位置設定機能ボタンを使って、入力数値によって印刷位置を合わせる位置合わせの方法について説明する。
十字ボタンの形状を成す印刷位置設定機能ボタン２の中央にポインタ１１を固定してドラッグすることによって、また、ポインタで矢印の中央を指定し、右クリックをすることによって数字入力枠１１２を表示し、上下，または左右の何れかに移動したい数字を入力することによって、電子フォーム全体の位置を入力した距離だけ移動することができる。
移動の単位は、印刷された際の移動距離になっている。
前述の、十字キーをポインタで指定してドラッグした場合は入力枠１１１，１１２には移動した距離が、移動した方向の入力枠に数字で表示される。
【００２３】
図４を参照して、入力されたパラメータの形式の一例について説明する。
ポインタで指定して、印刷位置情報保存機能ボタン３を押すと、移動した結果が図４に示すようにテキストデータとして保存される。
保存されるデータとしては、電子フォームの名前「Ｆｏｒｍ  Ｎａｍｅ＝ＩＤ  Ｃａｒｄ」と、電子フォームの印刷設定位置として、本実施形態の場合は、表示画面の左上の電子フォームの左上角の縦横の座標が、「ＳｔａｒｔＸ＝２０，ＳｔａｒｔＹ＝１５」と記録される。
保存されているデータを参照したい場合は、保存情報読出し機能ボタン４を押して、保存された電子フォームの位置を表示枠１１３によって確認し、最初のステップであるテストプリントを試みる。
【００２４】
このようにして、設定された印刷位置は、プリンタ名と共にサーバに送信される。
【産業上の利用可能性】
【００２５】
証券，本人証明カード，資格認定書等、プレプリント紙への追加印刷分野全般に使用できる。
【図面の簡単な説明】
【００２６】
【図１】本発明の印刷位置調整機能付き電子フォームの入力画面の模式図である。
【図２】印刷位置設定機能ボタンを使って画面を見ながら印刷位置を合わせる位置合わせの方法について説明するための図である。
【図３】印刷位置設定機能ボタンを使って、入力数値によって印刷位置を合わせる位置合わせの方法について説明するための図である。
【図４】入力されたパラメータの形式の一例について説明するための図である。
【図５】本発明の印刷位置調整機能付き電子フォームの運用システムについて説明するための図である。
【符号の説明】
【００２７】
１      表示画面
２      印刷位置設定機能ボタン
３      印刷位置情報保存機能ボタン
４      保存情報読出し機能ボタン
５      印刷実行機能ボタン
６      電子フォーム
７      プリンタ（印刷装置）
８      サーバ
９      通信端末
１１    ポインタ
２１    矢印
６１    印字領域
６２，６３  プレ印刷領域
１１１，１１２，１１３  表示枠
【図１】
2005309632.tif 000003
【図２】
2005309632.tif 000004
【図３】
2005309632.tif 000005
【図４】
2005309632.tif 000006
【図５】
2005309632.tif 000007